(57)【要約】【課題】台車に取り付けられたローラーコンベア上の搬送物を、安全かつ確実に搬送先に受け渡しすることができる搬送台車を提供する。【解決手段】車輪２に支持された基台３上のローラーコンベア４Ａの前側の端部１０Ａから２番目のローラー７Ａ2と３番目のローラー７Ａ3との間に、ローラーコンベア１０Ａの搬送面８に対して上方へ延びるストッパ１２Ａと、そのストッパ１２Ａの裏面に固定された係合雄部１３Ａとを設けるとともに、それらの２番目のローラー７Ａ2及びストッパ１２Ａを、１番目のローラー７Ａ1を軸として半回転可能に構成し、２番目のローラー７Ａ2及びストッパ１２Ａが半回転したときに、係合雄部１３Ａが搬送先１７の端部１８に係合させる。【選択図】図１
2014065331.tif 000002
【特許請求の範囲】
【請求項１】
台車に取り付けられたローラーコンベア上の搬送物を、搬送先に受け渡す搬送台車において、
前記ローラーコンベアにおける前記搬送先に対向する端部から２番目のローラーの３番目のローラー側の外側に、該ローラーコンベアの搬送面に対して上方へ延びるストッパと、そのストッパに固定された係合部とを設けるとともに、
前記２番目のローラー及びストッパを、前記端部から１番目のローラーを軸として半回転可能に構成し、
前記２番目のローラー及びストッパが半回転したときに、前記係合部が前記搬送先の端部に係合することを特徴とする搬送台車。
【請求項２】
前記２番目のローラー及びストッパに接続するハンドルを設けた請求項１に記載の搬送台車。
【請求項３】
前記搬送先が他のローラーコンベアである請求項１又は２に記載の搬送台車。
【発明の詳細な説明】
【技術分野】
【０００１】
本発明は搬送台車に関し、更に詳しくは、台車に取り付けられたローラーコンベア上の搬送物を、安全かつ確実に搬送先に受け渡しすることができる搬送台車に関する。
【背景技術】
【０００２】
一般の製造工場においては、手押し式の搬送台車を用いての重量物の移動が頻繁に行われている（例えば、特許文献１を参照）。その搬送台車の一種に、台車上にローラーコンベアを取り付けることで、搬送先への重量物の受け渡しを容易にしたものがある。このような搬送台車を用いて重量物を移動する場合には、作業員が重量物を積載した搬送台車を搬送先のコンベア等に突き合う位置まで移動させてから、搬送台車の車輪をロックして、台車上の重量物をローラーコンベアを利用して搬送先に流れ出すようにする。
【０００３】
しかしながら、搬送台車と移送先のコンベア等との突き合わせ位置がズレていた場合や、搬送台車の車輪のロックが確実に掛かっていない場合には、重量物がローラーコンベアから落下してしまったり、搬送台車が動いて作業者に接触するなどして、思わぬ事故を引き起こすおそれがあった。そのため、ローラーコンベア上の搬送物を、安全かつ確実に搬送先に受け渡しすることができる搬送台車が求められている。
【先行技術文献】
【特許文献】
【０００４】
【特許文献１】特開２００６−１０３５１６号公報
【発明の概要】
【発明が解決しようとする課題】
【０００５】
本発明の目的は、台車に取り付けられたローラーコンベア上の搬送物を、安全かつ確実に搬送先に受け渡しすることができる搬送台車を提供することにある。
【課題を解決するための手段】
【０００６】
上記の目的を達成する本発明の搬送台車は、台車に取り付けられたローラーコンベア上の搬送物を、搬送先に受け渡す搬送台車において、前記ローラーコンベアにおける前記搬送先に対向する端部から２番目のローラーの３番目のローラー側の外側に、該ローラーコンベアの搬送面に対して上方へ延びるストッパと、そのストッパに固定された係合部とを設けるとともに、前記２番目のローラー及びストッパを、前記端部から１番目のローラーを軸として半回転可能に構成し、前記２番目のローラー及びストッパが半回転したときに、前記係合部が前記搬送先の端部に係合することを特徴とするものである。
【０００７】
この搬送台車においては、２番目のローラー及びストッパに接続するハンドルを設けることで、作業員が容易に半回転作業をすることができる。また、搬送先としては、他のローラーコンベアが挙げられる。
【発明の効果】
【０００８】
本発明の搬送台車によれば、搬送台車と搬送先とが係合部を介して確実に連結されるとともに、ローラーコンベアの端部側のローラーの１つが搬送台車のローラーコンベアと搬送先との間に位置して搬送物の移動中の落下を防止するので、搬送物を確実かつ安全に受け渡すことができる。
【図面の簡単な説明】
【０００９】
【図１】本発明の実施形態からなる搬送台車の側面図である。
【図２】本発明の実施形態からなる搬送台車の上面図である。
【図３】反転コンベアの動作を説明する拡大側面図である。
【図４】搬送物の受け渡し作業の最初の工程を説明する側面図である。
【図５】搬送物の受け渡し作業の最初の工程を説明する上面図である。
【図６】搬送物の受け渡し作業の次の工程を説明する側面図である。
【図７】搬送物の受け渡し作業の次の工程を説明する上面図である。
【図８】図７に一点鎖線で示すＸ−Ｘ矢視の断面図である。
【図９】本発明の別の実施形態からなる搬送台車の側面図である。
【発明を実施するための形態】
【００１０】
以下に、本発明の実施の形態について、図面を参照して説明する。
【００１１】
図１、２は、本発明の実施形態からなる搬送台車を示す。
【００１２】
この搬送台車１は、複数の可動式の車輪２により支持される基台３上に取り付けられた左右一対のローラーコンベア４Ａ、４Ｂを備えており、後部５に立設された把手６を介した作業員の手押しにより移動するものである。各ローラーコンベア４Ａ、４Ｂは、並列に配置された回転自在な複数のローラー７Ａ、７Ｂをそれぞれ有して構成され、各ローラー７Ａ、７Ｂの頂点により形成される仮想の搬送面８上に積載された搬送物（図示せず）をスライドさせて搬送台車１の前部９から搬送先へ受け渡しするようになっている。
【００１３】
このような搬送台車１において、各ローラーコンベア４Ａ、４Ｂの前端部１０Ａ、１０Ｂから１番目のローラー７Ａ１、７Ｂ１及び２番目のローラー７Ａ２、７Ｂ２は、その１番目のローラー７Ａ１、７Ｂ１を軸として半回転可能な反転コンベア１１Ａ、１１Ｂをそれぞれ構成している。更に、その反転コンベア１１Ａ、１１Ｂの後端部には、３番目のローラー７Ａ３、７Ｂ３と２番目のローラー７Ａ２、７Ｂ２との間において搬送面８に対して上方へ延びるストッパ１２Ａ、１２Ｂが設けられており、そのストッパ１２Ａ、１２Ｂの裏面には断面Ｌ字状の係合雄部１３Ａ、１３Ｂが固定されている。これらの反転コンベア１１Ａ、１１Ｂは、各ローラーコンベア４Ａ、４Ｂの２番目のローラー７Ａ２、７Ｂ２の回転軸同士を延長接続してなる可動軸１４を、図３に示すように、１番目のローラー７Ａ１、７Ｂ１の回りに回動することで、同時に半回転させることができるようになっている。
【００１４】
ストッパ１２Ａ、１２Ｂの表面には、ゴムなどの弾性体からなる凸部１５Ａ、１５Ｂが設けられており、ローラーコンベア４Ａ、４Ｂ上の搬送物を傷つけることなく流れ落ちるのを防止している。なお、各ローラーコンベア４Ａ、４Ｂの後端部にも、同様の凸部を有するストッパ１６Ａ、１６Ｂが設けられている。
【００１５】
この搬送台車１を用いた搬送先への搬送物の受け渡しを図４〜７に従って以下に説明する。
【００１６】
まず、図４、５に示すように、作業員が把手６を介して搬送台車１を移動させて、搬送先１７の端部１８に、搬送台車１の前部９を突き合わせる。この搬送先１７は、左右一対の固定ローラーコンベア１９Ａ、１９Ｂを備えており、それらの搬送面の高さは、搬送台車１のローラーコンベア４Ａ、４Ｂの搬送面８と同じになるように支持台２０により調整されている。搬送先１７の端部１８と固定ローラーコンベア１９Ａ、１９Ｂの１番目のローラー２１Ａ１、２１Ｂ１との間には、所定の幅の間隙２２Ａ、２２Ｂが形成されている。また、搬送先１７の端部１８の中段には、搬送台車１の係合雄部１３Ａ、１３Ｂと係合可能な断面凹状の係合雌部２３Ａ、２３Ｂが設置されているとともに、端部１８の上部には段状の切欠きからなる受け部２４が形成されている。
【００１７】
そして、図６、７に示すように、可動軸１４を回動させることで反転コンベア１１Ａ、１１Ｂを半回転させ、その可動軸１４を搬送先１７の受け部２４に載置する。それにより、図８に示すように、反転コンベア１１Ａ、１１Ｂにおけるローラー７Ａ2、７Ｂ2が固定ローラーコンベア１９Ａ、１９Ｂの１番目のローラー２１Ａ１、２１Ｂ１と端部１８との間に位置すると同時に、係合雄部１３Ａ、１３Ｂが間隙２２Ａ、２２Ｂを通過して、係合雌部２３Ａ、２３Ｂにそれぞれ係合することで、搬送台車１と搬送先１７とが連結される。
【００１８】
このように、搬送台車１と搬送先１７とが確実に連結されるとともに、反転コンベア１１Ａ、１１Ｂの１つのローラー７Ａ２、７Ｂ２が、搬送台車１のローラーコンベア４Ａ、４Ｂと搬送先１７の固定ローラーコンベア１９Ａ、１９Ｂとの間に位置して搬送物の移動中の落下を防止するので、搬送物を確実かつ安全に受け渡すことができるのである。
【００１９】
なお、搬送台車１は、搬送物を搬送先１７へ受け渡した後は、可動軸１４を逆向きに回動させて反転コンベア１１Ａ、１１Ｂを元の位置に戻してから、作業員により他の場所へ移動する。
【００２０】
上記の実施形態に係る説明では、搬送台車１から搬送先１７へ搬送物を受け渡す場合を例示したが、搬送元から搬送台車１へ搬送物を積載する際にも適用できることは言うまでもない。
【００２１】
上記の搬送台車１においては、図９に示すように、可動軸１４の一端部に略直角方向へ延びるハンドル２５を取り付けることで、作業員が反転コンベア１１Ａ、１１Ｂを半回転させる作業を容易に行うことができる。
【符号の説明】
【００２２】
１  搬送台車
４Ａ、４Ｂ  ローラーコンベア
７Ａ、７Ｂ  ローラー
８  搬送面
１１Ａ、１１Ｂ  反転コンベア
１２Ａ、１２Ｂ  ストッパ
１３Ａ、１３Ｂ  係合雄部
１７  搬送先
１９Ａ、１９Ｂ  固定ローラーコンベア
２３Ａ、２３Ｂ  係合雌部
２５  ハンドル
【図１】
2014065331.tif 000003
【図２】
2014065331.tif 000004
【図３】
2014065331.tif 000005
【図４】
2014065331.tif 000006
【図５】
2014065331.tif 000007
【図６】
2014065331.tif 000008
【図７】
2014065331.tif 000009
【図８】
2014065331.tif 000010
【図９】
2014065331.tif 000011